(57)【要約】  本発明の無線通信装置においては、少なくとも一つの通信方式の送信回路201および／または受信回路202と分波器353との間に、当該通信方式の送信回路201および／または受信回路202を、分波器353を経由して、あるいは分波器353を経由せずに、アンテナ351に接続する切替部11を設置し、切替部11を有する通信方式が単独で動作している場合には、該動作中の通信方式の送信回路201および／または受信回路202を、分波器353を経由せずにアンテナ351に直接接続する。これにより、回路の挿入損失を低減して、受信感度の向上および消費電力の低減を図る。
2008078792.tif 000002
【特許請求の範囲】
【請求項１】
アンテナと、
該アンテナの後段に設置され、複数の通信方式の異なる周波数帯域の信号を分波する分波器と、
該分波器の後段に設置された前記各通信方式の送信回路および／または受信回路と、
少なくとも一つの通信方式の前記送信回路および／または前記受信回路と前記分波器との間に設置され、当該通信方式の前記送信回路および／または前記受信回路を、前記分波器を経由して前記アンテナに接続するか、前記分波器を経由せずに前記アンテナに直接接続するかを切替える切替部と、
該切替部を有する通信方式を含む複数の通信方式が同時に動作している場合には、該動作中の各通信方式の前記送信回路および／または前記受信回路を、前記分波器を経由して前記アンテナに接続するように前記切替部を制御し、前記切替部を有する通信方式が単独で動作している場合には、該動作中の通信方式の前記送信回路および／または前記受信回路を、前記分波器を経由せずに前記アンテナに直接接続するように前記切替部を制御する制御部と、
を有することを特徴とする無線通信装置。
【請求項２】
前記分波器と前記切替部との間に設置された整合回路を有し、
前記切替部は、対応する通信方式の前記送信回路および／または前記受信回路を、前記分波器を経由して前記アンテナに接続する際に前記整合回路を経由させるようにしたことを特徴とする請求項１に記載の無線通信装置。
【請求項３】
アンテナと、
該アンテナの後段に設置され、複数の通信方式の異なる周波数帯域の信号を分波する分波器と、
該分波器の後段に設置された前記各通信方式の送信回路および／または受信回路と、
外部アンテナが接続可能な外部アンテナ接続用インターフェースと、
該外部アンテナ接続用インターフェースと前記分波器との間に設置され、前記分波器を前記アンテナに接続するか、前記外部アンテナ接続用インターフェースに接続するかを切替える外部アンテナ切替部と、
少なくとも一つの通信方式の前記送信回路および／または前記受信回路と前記分波器との間に設置され、当該通信方式の前記送信回路および／または前記受信回路を、前記分波器を経由して前記外部アンテナ切替部に接続するか、前記分波器を経由せずに前記外部アンテナ切替部に直接接続するかを切替える切替部と、
該切替部を有する通信方式を含む複数の通信方式が同時に動作している場合には、該動作中の各通信方式の前記送信回路および／または前記受信回路を、前記分波器を経由して前記外部アンテナ切替部に接続するように前記切替部を制御し、前記切替部を有する通信方式が単独で動作している場合には、該動作中の通信方式の前記送信回路および／または前記受信回路を、前記分波器を経由せずに前記外部アンテナ切替部に直接接続するように前記切替部を制御する制御部と、
を有することを特徴とする無線通信装置。
【請求項４】
前記分波器と前記切替部との間に設置された整合回路を有し、
前記切替部は、対応する通信方式の前記送信回路および／または前記受信回路を、前記分波器を経由して前記外部アンテナ切替部に接続する際に前記整合回路を経由させるようにしたことを特徴とする請求項３に記載の無線通信装置。
【発明の詳細な説明】
【関連出願の相互参照】
【０００１】
本出願は、２００６年１２月２７日に出願された日本国特許出願２００６−３５３１２７号の優先権を主張するものであり、この先の出願の開示全体をここに参照のために取り込む。
【技術分野】
【０００２】
本発明は、無線通信装置に関するものである。
【背景技術】
【０００３】
現在、携帯電話等の無線通信システムには、それぞれの規格に応じた複数のシステムが存在している。例えば、日本の携帯電話システムでは、ＰＤＣ（Personal Digital Cellular）、ＣＤＭＡ（Code Division Multiple Access）、ＰＨＳ（Personal Handyphone System）等が普及している。また、最近では、ユビキタス時代の鍵となるワイヤレスブロードバンドにおいて、新たなシステムが提案され、その中の１つであるＷｉＭＡＸ（Worldwide Interoperability for Microwave Access）が普及の兆しを見せている。【０００４】
通常、無線通信装置は、何れか１つの規格に対応しているが、昨今の携帯電話の普及に伴い、各システムに割当てられた周波数帯域は逼迫し、マルチバンド、マルチモードへと移行してきており、例えば、ＰＤＣおよびＷ−ＣＤＭＡ（Wideband Code Division Multiple Access）の２つの異なる通信方式に対応したデュアルバンドの通信装置が知られている（例えば、特許文献１，２参照）。また、最近では、安定した高機能のサービスを供給するため、異なる周波数帯域間でのハンドオフや、異なるシステム間でのシームレスなハンドオフ等を行うハイブリッド動作可能な無線通信装置の開発も進んでいる。【０００５】
図１０は、ＣＤＭＡシステムで用いられる従来の無線通信装置の一例を示すブロック図である。この無線通信装置１００−１は、８００ＭＨｚ帯ＣＤＭＡシステム（例えば、ＡＲＩＢ ＳＴＤ−Ｔ５３：Association of Radio Industries and Businesses STANDARD-T53）と、２ＧＨｚ帯ＣＤＭＡシステム（例えば、ＡＲＩＢ ＳＴＤ−Ｔ６４）とを有する。さらに、データ通信（例えば、ｃｄｍａ２０００ １ｘＥＶ−ＤＯ：1x Evolution Data Optimized）においては、そのスループットを向上させるために、あるいはハイブリッド動作を行わせるために、８００ＭＨｚ帯ＣＤＭＡシステムおよび２ＧＨｚ帯ＣＤＭＡシステムにおいて、ともにダイバーシチ方式を採用している。【０００６】
図１０において、８００ＭＨｚ帯ＣＤＭＡシステムは、送信回路１０１、受信回路１０２、８００ＭＨｚ帯の送受信信号を分離するためのデュープレクサ（ＤＵＰ）１０３、セカンダリ受信回路１２１を有する。また、２ＧＨｚ帯ＣＤＭＡシステムは、送信回路１１１、受信回路１１２、２ＧＨｚ帯の送受信信号を分離するためのデュープレクサ（ＤＵＰ）１１３、セカンダリ受信回路１３１を有する。【０００７】
また、無線通信装置１００−１は、両ＣＤＭＡシステムの共用部として、プライマリアンテナ（ＡＮＴ）１５１、例えば計測用ＲＦ（Radio Frequency）コネクタからなる第１外部接続用コネクタ１５２、プライマリアンテナ１５１を８００ＭＨｚ帯および２ＧＨｚ帯で共用するためのダイプレクサ（Ｄｉｐ）１５３、セカンダリアンテナ（ＡＮＴ）１６１、計測用ＲＦコネクタからなる第１外部接続用コネクタ１６２、セカンダリアンテナ１６１を８００ＭＨｚ帯のセカンダリ受信回路１２１および２ＧＨｚ帯のセカンダリ受信回路１３１で共用するためのダイプレクサ（Ｄｉｐ）１６３を有する。【０００８】
８００ＭＨｚ帯ＣＤＭＡシステムの送信回路１０１、受信回路１０２、セカンダリ受信回路１２１、および２ＧＨｚ帯ＣＤＭＡシステムの送信回路１１１、受信回路１１２、セカンダリ受信回路１３１は、それぞれベースバンド部５００に接続されている。【０００９】
図１０に示す無線通信装置１００−１は、例えば、８００ＭＨｚ帯ＣＤＭＡシステムで１ｘＥＶ−ＤＯ通信を行うときは、送信回路１０１からの送信信号を、デュープレクサ１０３およびダイプレクサ１５３を経てプライマリアンテナ１５１から放射し、プライマリアンテナ１５１で受信した８００ＭＨｚ帯の受信信号を、ダイプレクサ１５３およびデュープレクサ１０３を経て受信回路１０２で受信し、さらにセカンダリアンテナ１６１で受信した８００ＭＨｚ帯の受信信号を、ダイプレクサ１６３を経て受信回路１２１でダイバーシチ受信する。【００１０】
同様に、無線通信装置１００−１は、２ＧＨｚ帯ＣＤＭＡシステムで１ｘＥＶ−ＤＯ通信を行うときは、送信回路１１１からの送信信号を、デュープレクサ１１３およびダイプレクサ１５３を経てプライマリアンテナ１５１から放射し、プライマリアンテナ１５１で受信した２ＧＨｚ帯の受信信号を、ダイプレクサ１５３およびデュープレクサ１１３を経て受信回路１１２で受信し、さらにセカンダリアンテナ１６１で受信した２ＧＨｚ帯の受信信号を、ダイプレクサ１６３を経て受信回路１３１でダイバーシチ受信する。【００１１】
また、無線通信装置１００−１は、８００ＭＨｚ帯ＣＤＭＡシステムまたは２ＧＨｚ帯ＣＤＭＡシステムでの１ｘＥＶ−ＤＯ通信中は、定期的に１ｘ通信における基地局からの着信を通知する報知情報（ページング）を受信して音声着信を監視するため、プライマリアンテナ１５１側を定期的に１ｘ通信に切替えてページングを受信するか、あるいはプライマリアンテナ１５１側は１ｘＥＶ−ＤＯ通信を継続させてスループットを向上させ、セカンダリアンテナ１６１側を定期的に１ｘ通信に切替えてページングを受信する。【００１２】
図１１は、ＣＤＭＡシステムで用いられる従来の無線通信装置の他の例を示すブロック図である。この無線通信装置１００−２は、図１０のダイプレクサ１５３に代えて４つの接点ａ〜ｄを有するアンテナスイッチ１７２を設けている。アンテナスイッチ１７２は、ベースバンド部５００からの制御信号により制御して、デュープレクサ１０３のみを接点ａを経てプライマリアンテナ１５１に接続するか、または接点ｂを経て外部アンテナが接続可能な外部アンテナ接続用インターフェースである第２外部接続用コネクタ（Ｅｘｔ）１７１に接続するか、あるいはデュープレクサ１１３のみを接点ｃを経てプライマリアンテナ１５１に接続するか、または接点ｄを経て第２外部接続用コネクタ１７１に接続する。これにより、８００ＭＨｚ帯および２ＧＨｚ帯の両ＣＤＭＡシステムで、プライマリアンテナ１５１および第２外部接続用コネクタ１７１を共用するようにしている。その他の構成および動作については、図１０の無線通信装置１００−１と同様であるので、図１０と同一構成要素には同一符号を付して、説明を省略する。【００１３】
図１２は、ＷｉＭＡＸシステムで用いられる従来の無線通信装置の一例を示すブロック図である。この無線通信装置２００は、２．５ＧＨｚ帯でＷｉＭＡＸによる通信を行うもので、送信回路２０１、受信回路２０２、２つの接点ａ，ｂを有するスイッチ２５３、アンテナ（ＡＮＴ）２５１を有する。なお、送信回路２０１および受信回路２０２は、ベースバンド部５００に接続されている。【００１４】
ＷｉＭＡＸシステムでは、複信方式として、図１０および図１１に示したＣＤＭＡシステムで採用している周波数分割複信（ＦＤＤ：Frequency Division Duplex）方式ではなく、時分割複信（ＴＤＤ：Time Division Duplex）方式を採用している。このため、この無線通信装置２００は、スイッチ２５３をベースバンド部５００からの制御信号により送受信に同期して制御することで、送信フレーム（アップリンク）では、送信回路２０１からの送信信号を、スイッチ２５３の接点ａを経てアンテナ２５１から放射し、受信フレーム（ダウンリンク）では、アンテナ２５１での受信信号を、スイッチ２５３の接点ｂを経て受信回路２０２で受信する。【００１５】
さらに、図１２に示す無線通信装置２００は、ダイバーシチ受信を行うため、アンテナ（ＡＮＴ）２６１とセカンダリ受信回路２１１とを設けている。セカンダリ受信回路２１１は、ベースバンド部５００に接続されている。なお、アンテナ２５１とスイッチ２５３との間には、計測用ＲＦコネクタからなる第１外部接続用コネクタ２５２が設けられており、アンテナ２６１とセカンダリ受信回路２１１との間にも計測用ＲＦコネクタからなる第１外部接続用コネクタ２６２が設けられている。【００１６】
また、他の無線通信装置として、ＣＤＭＡシステムとＷｉＭＡＸシステムとの双方で利用可能なマルチモード無線通信装置も考えられる。このようなマルチモード無線通信装置は、システム間のシームレスなハンドオフを行う場合等には、両システムを同時に動作させる必要がある。また、アンテナについては、小型化や価格の面からそれぞれのシステムで共用するのが好ましい。【００１７】
その一例として、例えば、図１３に示すようなマルチモード無線通信装置３００が考えられている。このマルチモード無線通信装置３００は、図１０に示したＣＤＭＡシステムの無線通信装置１００−１と、図１２に示した２．５ＧＨｚ帯ＷｉＭＡＸシステムの無線通信装置２００とを組み合わせたものである。図１３において、８００ＭＨｚ帯ＣＤＭＡシステムのデュープレクサ１０３のアンテナ端子、２ＧＨｚ帯ＣＤＭＡシステムのデュープレクサ１１３のアンテナ端子、および２．５ＧＨｚ帯ＷｉＭＡＸシステムのスイッチ２５３のアンテナ端子は、トリプレクサ（Ｔｒｉ）３５３を介して８００ＭＨｚ帯、２ＧＨｚ帯および２．５ＧＨｚ帯の３バンド対応のアンテナ（ＡＮＴ）３５１に接続されている。なお、トリプレクサ３５３とアンテナ３５１との間には、計測用ＲＦコネクタからなる第１外部接続用コネクタ３５２が設けられている。【００１８】
また、３バンド対応のアンテナ（ＡＮＴ）３６１は、トリプレクサ（Ｔｒｉ）３６３を介して各バンドに対応するセカンダリ受信回路１２１，１３１，２１１に接続されている。なお、アンテナ３６１とトリプレクサ３６３との間には、計測用ＲＦコネクタからなる第１外部接続用コネクタ３６２が設けられている。【００１９】
８００ＭＨｚ帯ＣＤＭＡシステムの送信回路１０１、受信回路１０２、セカンダリ受信回路１２１、および２ＧＨｚ帯ＣＤＭＡシステムの送信回路１１１、受信回路１１２、セカンダリ受信回路１３１、２．５ＧＨｚ帯ＷｉＭＡＸシステムの送信回路２０１、受信回路２０２、セカンダリ受信回路２１１は、それぞれベースバンド部５００に接続されている。【００２０】
図１３に示すマルチモード無線通信装置３００は、８００ＭＨｚ帯ＣＤＭＡシステム、２ＧＨｚ帯ＣＤＭＡシステムおよび２．５ＧＨｚ帯ＷｉＭＡＸシステムでアンテナ３５１を共用するためにトリプレクサ３５３を設けており、同様に、各システムのセカンダリ受信回路１２１，１３１，２１１でアンテナ３６１を共用するためにトリプレクサ３６３を設けている。【００２１】
さらに、他のマルチモード無線通信装置として、例えば、図１４に示す構成のものも考えられている。このマルチモード無線通信装置４００は、図１１に示したＣＤＭＡシステムの無線通信装置１００−２と、図１２に示した２．５ＧＨｚ帯ＷｉＭＡＸシステムの無線通信装置２００とを組み合わせたものである。すなわち、このマルチモード無線通信装置４００は、図１３に示した構成において、トリプレクサ３５３のアンテナ端子に２つの接点ａ，ｂを有するアンテナスイッチ４５１を設け、このアンテナスイッチ４５１をベースバンド部５００からの制御信号により制御して、接点ａ，ｂを選択的にオンすることにより、８００ＭＨｚ帯ＣＤＭＡシステム、２ＧＨｚ帯ＣＤＭＡシステムおよび２．５ＧＨｚ帯ＷｉＭＡＸシステムで、アンテナ３５１および第２外部接続用コネクタ１７１を共用するようにしたものである。その他の構成は、図１３の無線通信装置３００と同様である。【００２２】
【特許文献１】特開２００３−１８８７５９号公報
【特許文献２】特開２００４−０２３５３６号公報
【発明の開示】
【発明が解決しようとする課題】
【００２３】
しかしながら、図１３および図１４に示したような構成のマルチモード無線通信装置は、それぞれのシステムでアンテナを共有するために、トリプレクサのような分波器を具備する必要がある。このため、回路の挿入損失が増加し、結果として受信感度の劣化および消費電力の増大を招くことが懸念される。【００２４】
したがって、かかる点に鑑みてなされた本発明の目的は、回路の挿入損失を低減でき、結果として受信感度の向上および消費電力の低減が図れる無線通信装置を提供することにある。
【課題を解決するための手段】
【００２５】
上記目的を達成する第１の観点に係る無線通信装置の発明は、
アンテナと、
該アンテナの後段に設置され、複数の通信方式の異なる周波数帯域の信号を分波する分波器と、
該分波器の後段に設置された前記各通信方式の送信回路および／または受信回路と、
少なくとも一つの通信方式の前記送信回路および／または前記受信回路と前記分波器との間に設置され、当該通信方式の前記送信回路および／または前記受信回路を、前記分波器を経由して前記アンテナに接続するか、前記分波器を経由せずに前記アンテナに直接接続するかを切替える切替部と、
該切替部を有する通信方式を含む複数の通信方式が同時に動作している場合には、該動作中の各通信方式の前記送信回路および／または前記受信回路を、前記分波器を経由して前記アンテナに接続するように前記切替部を制御し、前記切替部を有する通信方式が単独で動作している場合には、該動作中の通信方式の前記送信回路および／または前記受信回路を、前記分波器を経由せずに前記アンテナに直接接続するように前記切替部を制御する制御部と、
を有することを特徴とするものである。【００２６】
第２の観点に係る発明は、第１の観点に係る無線通信装置において、
前記分波器と前記切替部との間に設置された整合回路を有し、
前記切替部は、対応する通信方式の前記送信回路および／または前記受信回路を、前記分波器を経由して前記アンテナに接続する際に前記整合回路を経由させるようにしたことを特徴とするものである。【００２７】
さらに、上記目的を達成する第３の観点に係る無線通信装置の発明は、
アンテナと、
該アンテナの後段に設置され、複数の通信方式の異なる周波数帯域の信号を分波する分波器と、
該分波器の後段に設置された前記各通信方式の送信回路および／または受信回路と、
外部アンテナが接続可能な外部アンテナ接続用インターフェースと、
該外部アンテナ接続用インターフェースと前記分波器との間に設置され、前記分波器を前記アンテナに接続するか、前記外部アンテナ接続用インターフェースに接続するかを切替える外部アンテナ切替部と、
少なくとも一つの通信方式の前記送信回路および／または前記受信回路と前記分波器との間に設置され、当該通信方式の前記送信回路および／または前記受信回路を、前記分波器を経由して前記外部アンテナ切替部に接続するか、前記分波器を経由せずに前記外部アンテナ切替部に直接接続するかを切替える切替部と、
該切替部を有する通信方式を含む複数の通信方式が同時に動作している場合には、該動作中の各通信方式の前記送信回路および／または前記受信回路を、前記分波器を経由して前記外部アンテナ切替部に接続するように前記切替部を制御し、前記切替部を有する通信方式が単独で動作している場合には、該動作中の通信方式の前記送信回路および／または前記受信回路を、前記分波器を経由せずに前記外部アンテナ切替部に直接接続するように前記切替部を制御する制御部と、
を有することを特徴とするものである。【００２８】
第４の観点に係る発明は、第３の観点に係る無線通信装置において、
前記分波器と前記切替部との間に設置された整合回路を有し、
前記切替部は、対応する通信方式の前記送信回路および／または前記受信回路を、前記分波器を経由して前記外部アンテナ切替部に接続する際に前記整合回路を経由させるようにしたことを特徴とするものである。
【発明の効果】
【００２９】
本発明によれば、少なくとも一つの通信方式の送信回路および／または受信回路と分波器との間に、当該通信方式の送信回路および／または受信回路を、分波器を経由して、あるいは分波器を経由せずに、アンテナまたは外部アンテナ接続用インターフェースに接続する切替部を設置し、該切替部を有する通信方式が単独で動作している場合には、該動作中の通信方式の送信回路および／または受信回路を、分波器を経由せずにアンテナまたは外部アンテナ接続用インターフェースに直接接続するようにしたので、単独動作時の回路の挿入損失を低減でき、結果として受信感度を向上できるとともに、消費電力を低減することが可能となる。
【図面の簡単な説明】
【００３０】
【図１】本発明の第１実施の形態に係るマルチモード無線通信装置の要部の構成を示すブロック図である。
【図２】第１実施の形態に係るマルチモード無線通信装置の動作の一例を示すフローチャートである。
【図３】図１に示すＷｉＭＡＸシステムの送信回路におけるパワーアンプの出力電力対電流特性の一例を示す図である。
【図４】本発明の第２実施の形態に係るマルチモード無線通信装置の要部の構成を示すブロック図である。
【図５】本発明の第３実施の形態に係るマルチモード無線通信装置の要部の構成を示すブロック図である。
【図６】第３実施の形態に係るマルチモード無線通信装置の動作の一例を示すフローチャートである。
【図７】本発明の第４実施の形態に係るマルチモード無線通信装置の要部の構成を示すブロック図である。
【図８】本発明の第５実施の形態に係るマルチモード無線通信装置の要部の構成を示すブロック図である。
【図９】本発明の第６実施の形態に係るマルチモード無線通信装置の要部の構成を示すブロック図である。
【図１０】ＣＤＭＡシステムで用いられる従来の無線通信装置の一例を示すブロック図である。
【図１１】ＣＤＭＡシステムで用いられる従来の無線通信装置の他の例を示すブロック図である。
【図１２】ＷｉＭＡＸシステムで用いられる従来の無線通信装置の一例を示すブロック図である。
【図１３】従来考えられているＣＤＭＡシステムとＷｉＭＡＸシステムとの双方で利用可能なマルチモード無線通信装置の一例を示すブロック図である。
【図１４】従来考えられているＣＤＭＡシステムとＷｉＭＡＸシステムとの双方で利用可能なマルチモード無線通信装置の他の例を示すブロック図である。
【符号の説明】
【００３１】
１０，２０，３０，４０，５０，６０  マルチモード無線通信装置
１１，４１，６１，２５３  スイッチ
１２  整合回路
３１  ダイプレクサ
１０１  送信回路（８００ＭＨｚ帯ＣＤＭＡ）
１０２  受信回路（８００ＭＨｚ帯ＣＤＭＡ）
１０３，１１３  デュープレクサ
１１１  送信回路（２ＧＨｚ帯ＣＤＭＡ）
１１２  受信回路（２ＧＨｚ帯ＣＤＭＡ）
１２１  セカンダリ受信回路（８００ＭＨｚ帯ＣＤＭＡ）
１３１  セカンダリ受信回路（２ＧＨｚ帯ＣＤＭＡ）
１７１  第２外部接続用コネクタ
２０１  送信回路（２．５ＧＨｚ帯ＷｉＭＡＸ）
２０２  受信回路（２．５ＧＨｚ帯ＷｉＭＡＸ）
２１１  セカンダリ受信回路（２．５ＧＨｚ帯ＷｉＭＡＸ）
３５１，３６１  アンテナ
３５２，３６２  第１外部接続用コネクタ
３５３，３６３  トリプレクサ
【発明を実施するための最良の形態】
【００３２】
以下、本発明の実施の形態について、図を参照して説明する。【００３３】
（第１実施の形態）
図１は、本発明の第１実施の形態に係るマルチモード無線通信装置の要部の構成を示すブロック図である。このマルチモード無線通信装置１０は、図１３に示した構成において、スイッチ２５３に代えて、切替部である４つの接点ａ〜ｄを有するスイッチ１１を設け、このスイッチ１１を、制御部であるベースバンド部５００からの制御信号により制御して、２．５ＧＨｚ帯ＷｉＭＡＸシステムの送信回路２０１または受信回路２０２を、接点ａまたは接点ｃを経てトリプレクサ３５３に選択的に接続することにより、トリプレクサ３５３を介してアンテナ３５１に接続するか、あるいはトリプレクサ３５３を介することなく接点ｂまたは接点ｄを経てアンテナ３５１に接続するようにしたものである。【００３４】
なお、スイッチ１１とトリプレクサ３５３との間には、整合回路（Ｍ）１２を挿入し、これにより２．５ＧＨｚ帯ＷｉＭＡＸシステムの送信回路２０１または受信回路２０２がトリプレクサ３５３のアンテナ端子側に接続されてトリプレクサ３５３の分波側の端子がオープンとなった場合に、アンテナ端子側のインピーダンスに影響を与えないようにする。その他の構成については、図１３と同様であるので、図１３と同一構成要素には、同一符号を付してその説明を省略する。【００３５】
図２は、本実施の形態に係るマルチモード無線通信装置１０の動作の一例を示すフローチャートである。本実施の形態のマルチモード無線通信装置１０は、ＷｉＭＡＸシステムが選択されると（ステップＳ１）、ＷｉＭＡＸシステムの単独動作か否か、すなわち２．５ＧＨｚ帯のＷｉＭＡＸシステムと８００ＭＨｚ帯や２ＧＨｚ帯のＣＤＭＡシステムとの同時動作か否かを判定する（ステップＳ２）。【００３６】
ここで、ＷｉＭＡＸシステムの単独動作と判定された場合には、送受信に同期して（ステップＳ３）、受信の場合にはスイッチ１１の接点ｄをオン（Ｓ１１−ｄ：ＯＮ）、その他の接点ａ〜ｃをオフ（Ｓ１１−ａ：ＯＦＦ、Ｓ１１−ｂ：ＯＦＦ、Ｓ１１−ｃ：ＯＦＦ）とし（ステップＳ４）、送信の場合にはスイッチ１１の接点ｂをオン（Ｓ１１−ｂ：ＯＮ）、その他の接点ａ，ｃ，ｄをオフ（Ｓ１１−ａ：ＯＦＦ、Ｓ１１−ｃ：ＯＦＦ、Ｓ１１−ｄ：ＯＦＦ）とする（ステップＳ５）。これにより、ＷｉＭＡＸシステムの単独動作の場合には、その送信回路２０１または受信回路２０２を、トリプレクサ３５３を経由することなくアンテナ３５１に直接接続する。【００３７】
一方、ステップＳ２で、ＷｉＭＡＸシステムとＣＤＭＡシステムとの同時動作と判定された場合、すなわちシステム間のハンドオフ等を行う場合には、ＷｉＭＡＸシステムにおける送受信に同期して（ステップＳ６）、受信の場合にはスイッチ１１の接点ｃをオン（Ｓ１１−ｃ：ＯＮ）、その他の接点ａ，ｂ，ｄをオフ（Ｓ１１−ａ：ＯＦＦ、Ｓ１１−ｂ：ＯＦＦ、Ｓ１１−ｄ：ＯＦＦ）とし（ステップＳ７）、送信の場合にはスイッチ１１の接点ａをオン（Ｓ１１−ａ：ＯＮ）、その他の接点ｂ〜ｄをオフ（Ｓ１１−ｂ：ＯＦＦ、Ｓ１１−ｃ：ＯＦＦ、Ｓ１１−ｄ：ＯＦＦ）とする（ステップＳ８）。これにより、ＷｉＭＡＸシステムとＣＤＭＡシステムとの同時動作の場合には、ＷｉＭＡＸシステムの送信回路２０１または受信回路２０２を、トリプレクサ３５３を経由してアンテナ３５１に接続する。【００３８】
このように、ＣＤＭＡシステムとＷｉＭＡＸシステムとの双方で利用可能な本実施の形態のマルチモード無線通信装置１０は、ＷｉＭＡＸシステムの単独動作の場合には、送受信に同期して送信回路２０１または受信回路２０２を、トリプレクサ３５３を介することなくアンテナ３５１に接続するようにした。これにより、回路の挿入損失を低減でき、結果として、受信感度を向上できる。さらに、送信時においては送信回路２０１に設けられているパワーアンプの出力電力を低減できるので、消費電力を低減することができる。例えば、送信回路２０１のパワーアンプが、図３に示すような出力電力（Ｐｏｕｔ［ｄＢｍ］）対電流（Ｉｃｃ［ｍＡ］）特性を有する場合には、出力電力を１ｄＢ下げられれば、消費電流を約５０ｍＡ削減することができる。【００３９】
（第２実施の形態）
図４は、本発明の第２実施の形態に係るマルチモード無線通信装置の要部の構成を示すブロック図である。このマルチモード無線通信装置２０は、図１に示した構成において、ＷｉＭＡＸシステムの送信回路２０１、受信回路２０２、スイッチ１１および整合回路１２をアンテナ３６１側に接続し、ＷｉＭＡＸシステムのセカンダリ受信回路２１１をアンテナ３５１側のトリプレクサ３５３に接続して、スイッチ１１を第１実施の形態と同様に制御するようにしたもので、その他の構成および動作は第１実施の形態と同様である。【００４０】
本実施の形態のマルチモード無線通信装置２０によると、ＷｉＭＡＸシステムの単独動作の場合には、送受信に同期して送信回路２０１または受信回路２０２が、トリプレクサ３６３を介することなくアンテナ３６１に接続される。したがって、第１実施の形態の場合と同様に、回路の挿入損失を低減でき、結果として、受信感度を向上できるとともに、消費電力を低減することができる。【００４１】
（第３実施の形態）
図５は、本発明の第３実施の形態に係るマルチモード無線通信装置の要部の構成を示すブロック図である。このマルチモード無線通信装置３０は、図４に示した構成において、整合回路１２を削除するとともに、スイッチ１１の代わりにスイッチ２５３を、トリプレクサ３６３の代わりにダイプレクサ３１を設け、８００ＭＨｚ帯ＣＤＭＡシステムのセカンダリ受信回路１２１および２ＧＨｚ帯ＣＤＭＡシステムのセカンダリ受信回路１３１を、ダイプレクサ３１を介してアンテナ３６１に接続し、ＷｉＭＡＸシステムの送信回路２０１および受信回路２０２を、スイッチ２５３を介してダイプレクサ３１のアンテナ端子に接続したものである。【００４２】
すなわち、本実施の形態においては、ＷｉＭＡＸシステムを単独動作させる場合に限らず、ＷｉＭＡＸシステムとＣＤＭＡシステムとの間のハンドオフ等を行うために、両システムを同時動作させる場合にも、ＷｉＭＡＸシステムの送信回路２０１および受信回路２０２を、ダイプレクサ３１を介することなくアンテナ３６１に接続する。このため、本実施の形態では、ＷｉＭＡＸシステムとＣＤＭＡシステムとを同時動作させる場合には、ＣＤＭＡシステムのセカンダリ受信回路による受信、すなわちダイバーシチを禁止する。【００４３】
図６は、本実施の形態に係るマルチモード無線通信装置３０の動作の一例を示すフローチャートである。本実施の形態のマルチモード無線通信装置３０は、ＷｉＭＡＸシステムが選択されると（ステップＳ１１）、ＷｉＭＡＸシステムの単独動作か否か、すなわちＷｉＭＡＸシステムと８００ＭＨｚ帯や２ＧＨｚ帯のＣＤＭＡシステムとの同時動作か否かを判定する（ステップＳ１２）。【００４４】
ここで、ＷｉＭＡＸシステムの単独動作と判定された場合には、ダイバーシチを行うか否かを判定し（ステップＳ１３）、ダイバーシチを行う場合にはセカンダリ受信回路２１１でＷｉＭＡＸシステムの受信を行うようにダイバーシチを設定し（ステップＳ１４）、ダイバーシチを行わない場合には、セカンダリ受信回路２１１でＷｉＭＡＸシステムの受信を行わないようにダイバーシチを禁止する（ステップＳ１５）。【００４５】
一方、ステップＳ１２において、ＷｉＭＡＸシステムとＣＤＭＡシステムとの同時動作と判定された場合、すなわちシステム間のハンドオフ等を行う場合には、ステップＳ１５において、セカンダリ受信回路１２１およびセカンダリ受信回路１３１でＣＤＭＡシステムの受信を行わないようにダイバーシチを禁止する。【００４６】
このように、本実施の形態のマルチモード無線通信装置３０は、ＷｉＭＡＸシステムを単独動作させる場合に限らず、ＷｉＭＡＸシステムとＣＤＭＡシステムとを同時動作させる場合にも、ＷｉＭＡＸシステムの送信回路２０１または受信回路２０２を、ダイプレクサ３１を介することなくアンテナ３６１に選択的に接続するようにした。よって、ＷｉＭＡＸシステムに対しては、常に、受信感度を向上できるとともに、消費電力を低減することができる。【００４７】
（第４実施の形態）
図７は、本発明の第４実施の形態に係るマルチモード無線通信装置の要部の構成を示すブロック図である。このマルチモード無線通信装置４０は、図１４に示した構成において、スイッチ４５１に代えて、外部アンテナ切替部である６つの接点ａ〜ｆを有するスイッチ４１を設け、このスイッチ４１をベースバンド部５００からの制御信号により制御して、ＷｉＭＡＸシステムを単独動作させる場合には、その送信回路２０１または受信回路２０２を、スイッチ２５３およびトリプレクサ３５３を介することなく、スイッチ４１を介してアンテナ３５１または外部アンテナが接続可能な第２外部接続用コネクタ１７１に接続するようにしたものである。【００４８】
すなわち、ＷｉＭＡＸシステムを単独動作させる場合には、スイッチ２５３は接点ａ，ｂをともにオフとし、スイッチ４１は接点ｅ，ｃのみを送受信に同期してオン・オフ制御し、他の接点ａ，ｂ，ｄ，ｆはオフ状態として、送信回路２０１または受信回路２０２を選択的にアンテナ３５１に接続する。あるいは、スイッチ４１の接点ｆ，ｄのみを送受信に同期してオン・オフ制御し、他の接点ａ，ｂ，ｃ，ｅはオフ状態として、送信回路２０１または受信回路２０２を選択的に第２外部接続用コネクタ１７１に接続する。したがって、本実施の形態においては、スイッチ２５３は、送信回路２０１および受信回路２０２を、トリプレクサ３５３を経由して外部アンテナ切替部であるスイッチ４１に接続するか、トリプレクサ３５３を経由することなく直接スイッチ４１に接続する切替部を構成している。【００４９】
なお、トリプレクサ３５３とスイッチ２５３との間には、第１実施の形態の場合と同様に、スイッチ２５３の接点ａ，ｂがともにオフとなって、トリプレクサ３５３の２．５ＧＨｚ帯分波側の端子がオープンとなった場合に、アンテナ端子側のインピーダンスに影響を与えないようにするため、整合回路１２を設ける。【００５０】
また、ＷｉＭＡＸシステムとＣＤＭＡシステムとを同時動作させる場合には、スイッチ２５３の接点ａ，ｂをＷｉＭＡＸシステムの送受信に同期してオン・オフ制御し、スイッチ４１は接点ｃ〜ｆをオフ、接点ａ，ｂはいずれか一方をオンにして、トリプレクサ３５３を介してアンテナ３５１または第２外部接続用コネクタ１７１を、８００ＭＨｚ帯ＣＤＭＡシステム、２ＧＨｚ帯ＣＤＭＡシステムおよび２．５ＧＨｚ帯ＷｉＭＡＸシステムで共用する。その他の構成については、図１４と同様であるので、図１４と同一構成要素には、同一符号を付してその説明を省略する。【００５１】
本実施の形態のマルチモード無線通信装置４０によれば、第１実施の形態の場合と同様に、ＷｉＭＡＸシステムの単独動作の場合には、送受信に同期して送信回路２０１または受信回路２０２を、トリプレクサ３５３を介することなく、アンテナ３５１または第２外部接続用コネクタ１７１を切替えるスイッチ４１に直接接続するようにしたので、回路の挿入損失を低減でき、結果として、受信感度を向上できるとともに、送信時においては送信回路２０１に設けられているパワーアンプの出力電力を低減できることから、消費電力を低減することができる。【００５２】
（第５実施の形態）
図８は、本発明の第５実施の形態に係るマルチモード無線通信装置の要部の構成を示すブロック図である。このマルチモード無線通信装置５０は、図４に示した第２実施の形態の構成において、アンテナ３５１側の第１外部接続用コネクタ３５２の代わりに、第２外部接続用コネクタ１７１および２つの接点ａ，ｂを有するスイッチ４５１を設け、このスイッチ４５１をベースバンド部５００からの制御信号により制御して、接点ａ，ｂのいずれかをオンすることにより、トリプレクサ３５３のアンテナ端子をアンテナ３５１または第２外部接続用コネクタ１７１に接続するようにしたものである。その他の構成および動作は、第２実施の形態と同様である。【００５３】
したがって、本実施の形態においても、第２実施の形態と同様の効果を得ることができる。【００５４】
（第６実施の形態）
図９は、本発明の第６実施の形態に係るマルチモード無線通信装置の要部の構成を示すブロック図である。このマルチモード無線通信装置６０は、図８に示した第５実施の形態の構成において、アンテナ３５１側のスイッチ４５１およびトリプレクサ３５３に代えて６つの接点ａ〜ｆを有するスイッチ４１を設け、このスイッチ４１をベースバンド部５００からの制御信号により制御して、アンテナ３５１および第２外部接続用コネクタ１７１を、８００ＭＨｚ帯ＣＤＭＡシステム、２ＧＨｚ帯ＣＤＭＡシステムおよび２．５ＧＨｚ帯ＷｉＭＡＸシステムで共用するようにしたものである。【００５５】
すなわち、８００ＭＨｚ帯ＣＤＭＡシステムの送信回路１０１および受信回路１０２に対しては、スイッチ４１の接点ａ，ｂのいずれかをオンすることにより、デュープレクサ１０３のアンテナ端子をアンテナ３５１または第２外部接続用コネクタ１７１に接続し、２ＧＨｚ帯ＣＤＭＡシステムの送信回路１１１および受信回路１１２に対しては、スイッチ４１の接点ｃ，ｄのいずれかをオンすることにより、デュープレクサ１１３のアンテナ端子をアンテナ３５１または第２外部接続用コネクタ１７１に接続し、２．５ＧＨｚ帯ＷｉＭＡＸシステムのセカンダリ受信回路２１１に対しては、スイッチ４１の接点ｅ，ｆのいずれかをオンすることにより、当該セカンダリ受信回路２１１の入力端子をアンテナ３５１または第２外部接続用コネクタ１７１に接続する。【００５６】
また、図８に示した第５実施の形態の構成において、アンテナ３６１側のスイッチ１１、整合回路１２およびトリプレクサ３６３に代えて、４つの接点ａ〜ｄを有するスイッチ６１を設け、このスイッチ６１をベースバンド部５００からの制御信号により制御して、８００ＭＨｚ帯ＣＤＭＡシステム、２ＧＨｚ帯ＣＤＭＡシステムおよび２．５ＧＨｚ帯ＷｉＭＡＸシステムで、第１外部接続用コネクタ３６２およびアンテナ３６１を共用する。【００５７】
すなわち、８００ＭＨｚ帯ＣＤＭＡシステムのセカンダリ受信回路１２１はスイッチ６１の接点ａを介して、２ＧＨｚ帯ＣＤＭＡシステムのセカンダリ受信回路１３１はスイッチ６１の接点ｂを介して、２．５ＧＨｚ帯ＷｉＭＡＸシステムの送信回路２０１はスイッチ６１の接点ｃを介して、２．５ＧＨｚ帯ＷｉＭＡＸシステムの受信回路２０２はスイッチ６１の接点ｄを介して、それぞれ第１外部接続用コネクタ３６２およびアンテナ３６１に接続可能に構成して、これら接点ａ〜ｄのオン・オフをベースバンド部５００からの制御信号により制御する。【００５８】
このように、本実施の形態では、ＷｉＭＡＸシステムを単独動作させる場合に限らず、ＷｉＭＡＸシステムとＣＤＭＡシステムとを同時動作させる場合にも、ＷｉＭＡＸシステムの送信回路２０１および受信回路２０２を、トリプレクサ３６３を介することなくアンテナ３６１に接続するので、第３実施の形態と同様に、ＷｉＭＡＸシステムとＣＤＭＡシステムとを同時動作させる場合には、ＣＤＭＡシステムのセカンダリ受信回路による受信、すなわちダイバーシチを禁止する。【００５９】
本実施の形態のマルチモード無線通信装置６０によれば、アンテナ３５１側においてはトリプレクサ３５３を省略し、アンテナ３６１側においてはトリプレクサ３６３を省略したので、各システムにおける回路の挿入損失を低減することができる。したがって、複数システムの同時動作においては、各システムの受信感度の向上および消費電力の低減が図れ、また、各システムの単独動作においては、さらにダイバーシチ受信による受信性能の向上が図れる。【００６０】
なお、本発明は、上記実施の形態にのみ限定されるものではなく、幾多の変形または変更が可能である。例えば、第１実施の形態では、２．５ＧＨｚ帯ＷｉＭＡＸシステムの送信回路２０１および受信回路２０２を、切替部であるスイッチ１１によりトリプレクサ３５３のアンテナ端子側に選択的に接続するようにしたが、８００ＭＨｚ帯ＣＤＭＡシステムのデュープレクサ１０３や、２ＧＨｚ帯ＣＤＭＡシステムのデュープレクサ１１３を、同様に、トリプレクサ３５３のアンテナ端子側に選択的に接続するようにして、単独動作時には、トリプレクサ３５３を経由することなくアンテナ３５１に接続するように構成することもできる。同様に、第２〜５実施の形態においても、８００ＭＨｚ帯ＣＤＭＡシステムのデュープレクサ１０３や、２ＧＨｚ帯ＣＤＭＡシステムのデュープレクサ１１３を、トリプレクサ３５３のアンテナ端子側に選択的に接続するようにして、単独動作時には、トリプレクサ３５３を経由することなく、トリプレクサ３５３のアンテナ端子側に直接接続するように構成することもできる。さらに、単独動作時に、当該システムのダイバーシチ受信を行う場合には、セカンダリ受信回路も、同様にして、切替部によりトリプレクサ等の分波器を経由することなくアンテナや第２外部接続用コネクタに接続するように構成することもできる。【００６１】
また、上記実施の形態では、ＣＤＭＡシステムとＷｉＭＡＸシステムとのマルチモード無線通信装置としたが、ＩＥＥＥ（Institute of Electrical and Electronic Engineers）８０２．１１ｂに代表される無線ＬＡＮ（Local Area Network）や、ＩＥＥＥ８０２．２０で標準化が進められている無線ＷＡＮ（Wide Area Network）等を含む任意の複数の無線通信システムが併用可能なマルチモード無線通信装置にも、本発明を有効に適用することができる。
【図１】
2008078792.tif 000003
【図２】
2008078792.tif 000004
【図３】
2008078792.tif 000005
【図４】
2008078792.tif 000006
【図５】
2008078792.tif 000007
【図６】
2008078792.tif 000008
【図７】
2008078792.tif 000009
【図８】
2008078792.tif 000010
【図９】
2008078792.tif 000011
【図１０】
2008078792.tif 000012
【図１１】
2008078792.tif 000013
【図１２】
2008078792.tif 000014
【図１３】
2008078792.tif 000015
【図１４】
2008078792.tif 000016
【国際調査報告】
2008078792.tif 000017
2008078792.tif 000018
2008078792.tif 000019